(57)【要約】  光ディスク等の可搬型の記録媒体毎に識別情報を設定してタイトルリスト又は予約リストと対応付けることで、タイトルリスト又は予約リストから選択しようとしているデータに対応している記録媒体を認識することができる記録装置を提供する。  予約された放送番組の内容を表す番組データを着脱可能に装着された記録媒体に記録する記録装置に、番組データを記憶することができる複数の記憶領域を有する記憶部を備える。この記録装置において、一の光ディスクに固有の媒体情報を、複数の記憶領域の内の一の記憶領域に関連付けて記憶する。そして、記憶領域に関連付けられた光ディスクを識別するための識別情報、例えば色又は画像を設定する。
2010125875.tif 000002
【特許請求の範囲】
【請求項１】
着脱可能な記録媒体にコンテンツデータを記録する記録装置において、
コンテンツデータを記憶することができる複数の記憶領域を有する記憶部と、
一の記録媒体に固有の媒体情報を前記複数の記憶領域の内の一の記憶領域に関連付けて記憶する手段と、
記憶領域に関連付けられた前記記録媒体を識別するための識別情報を設定する設定手段と
を備えることを特徴とする記録装置。
【請求項２】
コンテンツデータは、放送番組の内容を表す番組データであり、
記録すべき番組を指定する番組指定情報を受け付ける受付手段と、
該受付手段が受け付けた番組指定情報を、前記記録媒体に関連付けて記憶する手段と、
記憶されてある番組指定情報で指定された番組の放送時に、前記番組指定情報に関連付けられた記録媒体が装着されているか否かを判定する手段と、
前記記録媒体が装着されている場合に、前記記録媒体に前記番組の番組データを記録する手段と、
前記記録媒体が装着されていない場合に、前記記録媒体の媒体情報に関連付けてある記憶領域に前記番組の番組データを記憶させる手段と
を備えることを特徴とする請求項１に記載の記録装置。
【請求項３】
記録媒体に関連付けて記憶されている番組指定情報を、前記設定手段が設定した識別情報に対応付けて表示させる表示制御手段
をさらに備えることを特徴とする請求項２に記載の記録装置。
【請求項４】
前記表示制御手段が前記番組指定情報を表示させる際、
同時に表示される電子番組表の、前記受付手段が受け付けた予約設定された番組指定情報で指定された番組の番組欄をも対応付けて表示させるようにしてある
ことを特徴とする請求項３に記載の記録装置。
【請求項５】
記録媒体に記録されたタイトル情報を、前記設定手段が記録媒体を識別するために設定した識別情報に対応付けて表示させるタイトル表示制御手段
を備えることを特徴とする請求項１から４のいずれか１つに記載の記録装置。
【請求項６】
複数の記録媒体が装着可能であって、
複数の記録媒体から一の記録媒体を選択する選択手段
をさらに備え、
前記複数の記録媒体及び前記複数の記憶領域の何れかを関連付けるようにしてある
ことを特徴とする請求項１から５のいずれか１つに記載の記録装置。
【発明の詳細な説明】
【技術分野】
【０００１】
本発明は、放送された番組の内容を表す番組データ等のコンテンツデータをブルーレイディスク等の記録媒体に記録する記録装置に関する。
【背景技術】
【０００２】
現在、テレビジョン放送により放送された番組を録画する録画装置（記録装置）が普及している。録画装置には、ハードディスク等の内蔵記録媒体に、番組の映像又は音声等の内容を表す番組データを記録するものと、着脱可能な光ディスク等の可搬型の記録媒体に番組データを記録するものとがある。内蔵記録媒体を用いる録画装置で録画を行った場合は、録画を行った録画装置でしか番組の再生を行うことができず、また、番組データを消去せずに保存し続けたときには記録容量が不足するので、番組データの保存が困難である。従って、他の再生装置で番組を再生するため、又は番組データを保存するために、内蔵記録媒体から可搬型の記録媒体へ番組データをダビングすることが行われる。しかしながら、番組データのダビングには手間がかかり、電子機器の操作に不慣れな使用者にはダビングを行うための操作が困難である。【０００３】
特許文献１には、ハードディスクを用いて一定期間分の録画を行う一方で、可搬型の記録媒体を識別するＩＤにダビングすべき番組を関連付けておき、記録媒体が装着された場合に、録画された番組の内でその記録媒体のＩＤに関連付けられた番組の番組データをダビングする録画装置が記載されている。この技術により、ダビングすべき番組を登録する作業を一旦行っておけば、可搬型の記録媒体を録画装置に装着するだけで容易にダビングを行うことができる。【０００４】
可搬型の記録媒体に番組データを直接記録することによって録画を行う録画装置では、ダビングを行う必要がない。家庭内で複数の使用者が同一の録画装置を利用する場合、各使用者が自己の記録媒体を保持し、各使用者が自分の欲しい番組を自己の記録媒体に録画することができる。また使用者が複数の録画装置を所有している場合、複数の録画装置を用いて一の記録媒体に録画を行うこともできる。しかしながら、録画予約を行う際には録画装置で録画予約の情報を記憶するので、録画に使用する記録媒体とは別の異なった記録媒体が誤って装着されている場合は、その記録媒体に番組データが記録されてしまう。また複数の録画装置を用いる場合は、夫々の録画装置で録画予約の設定を行う必要があり、手間が掛かる。【０００５】
特許文献１には、また、録画予約の情報を可搬型の記録媒体に記録し、記録媒体に記録してある情報に基づいて録画を行う技術が記載されている。この技術により、記録媒体に記録された予約情報に基づいて同一の記録媒体に対して録画が行われる。また一の録画装置で録画予約の設定を行うだけで、別の録画装置を使用する場合でも同一の記録媒体を用いて録画を行うことができる。【０００６】
特許文献２には、記録媒体であるディスクを複数装着でき、選択した一のディスクに記録されている内容を再生するディスク再生装置が記載されている。この技術により、同一種類のディスクを装置内に複数待機させておくことができるため、家庭内で複数の使用者が同一の録画装置を利用する場合であっても、各使用者は、装置を使用する都度、他の使用者が装着した記録媒体と自己の記録媒体とを交換する等の手間を省くことができる。
【先行技術文献】
【特許文献】
【０００７】
【特許文献１】特開２０００−２１５５４７号公報
【特許文献２】特開平１１−２５６５４号公報
【発明の概要】
【発明が解決しようとする課題】
【０００８】
前述の特許文献１に記載された技術の内、ハードディスクに番組データを蓄積する技術は、一定期間に放送された番組の番組データを蓄積するための大容量のハードディスク、及びチャンネル数分のチューナが必要となり、録画装置のコストが上昇する。また可搬型の記録媒体に予約情報を記録しておく技術では、録画すべき番組が放送される日時になっても記録媒体が録画装置に装着されていない場合、及び予約情報が記録されている記録媒体とは別の記録媒体が誤って装着されている場合には、録画を行うことができず、予約録画が不確実であるという問題がある。【０００９】
また、特許文献２に記載された技術のように、複数の記録媒体を装置内に待機させた場合、どの記録媒体を選択すべきかが瞬時に把握できないおそれがある。このため、誤った記録媒体を装着してしまい、その結果、録画を行うことができない、又は使用者が所望しない記録媒体に録画される等、予約録画が不確実であるという問題がある。【００１０】
本発明は、斯かる事情に鑑みてなされたものであって、その目的とするところは、光ディスク等の可搬型の記録媒体毎に識別情報を設定してタイトルリスト又は予約リストと対応付けることで、タイトルリスト又は予約リストから選択しようとしているデータに対応している記録媒体を認識することができる記録装置を提供することにある。
【課題を解決するための手段】
【００１１】
本発明に係る記録装置は、着脱可能な記録媒体にコンテンツデータを記録する記録装置において、コンテンツデータを記憶することができる複数の記憶領域を有する記憶部と、一の記録媒体に固有の媒体情報を前記複数の記憶領域の内の一の記憶領域に関連付けて記憶する手段と、記憶領域に関連付けられた前記記録媒体を識別するための識別情報を設定する設定手段とを備えることを特徴とする。【００１２】
本発明における記録装置は、着脱可能に装着された記録媒体に、予約された放送番組の内容を表す番組データ等のコンテンツデータを記録する。記録装置は、複数の記憶領域を有する記憶部を備えている。記憶部は、予め複数の記憶領域に分割されていてもよいし、一つの記憶領域が設定された数に分割されてもよい。記録装置は、装着された記録媒体と、記憶部の何れかの記憶領域とを対応付ける。その際、記録装置は、記録媒体を識別可能にする識別情報を設定し、識別情報が設定された記録媒体の識別情報を報知する。斯かる報知は、例えば、装置に設けられたランプを発光させてもよいし、記録装置に接続されるディスプレイ等にメニュー画面を表示させてもよい。また識別情報は、自動で設定されてもよいし、使用者により設定されてもよい。記録媒体の識別情報を報知することで、使用者は、記録媒体を装置に装着した後であっても、記録媒体を装置から取り出すことなく記録媒体の種類等を把握できるようになる。また、装着していない記録媒体に設定した識別情報を報知することで、使用者は、どの記録媒体を装着すべきか等を把握できるようになる。【００１３】
本発明に係る記録装置は、コンテンツデータは、放送番組の内容を表す番組データであり、記録すべき番組を指定する番組指定情報を受け付ける受付手段と、該受付手段が受け付けた番組指定情報を、前記記録媒体に関連付けて記憶する手段と、記憶されてある番組指定情報で指定された番組の放送時に、前記番組指定情報に関連付けられた記録媒体が装着されているか否かを判定する手段と、前記記録媒体が装着されている場合に、前記記録媒体に前記番組の番組データを記録する手段と、前記記録媒体が装着されていない場合に、前記記録媒体の媒体情報に関連付けてある記憶領域に前記番組の番組データを記憶させる手段とを備えることを特徴とする。【００１４】
本発明においては、記録すべき放送番組を指定する番組指定情報、記録媒体の媒体情報と関連付けて記憶し、番組の放送時に、番組指定情報に関連付けられた記録媒体が装着されている場合は記録媒体に番組データを記録する。番組指定情報が関連付けられた記録媒体が装着されていない場合は、記録媒体を対応付けられた記憶領域に番組データを記憶させる。これにより、記録装置では、番組の放送開始時に記録媒体が装着されておらずとも、番組データは記憶部に記憶され、後日記録媒体に記録することができる。【００１５】
本発明に係る記録装置は、記録媒体に関連付けて記憶されている番組指定情報を、前記設定手段が設定した識別情報に対応付けて表示させる表示制御手段をさらに備えることを特徴とする。【００１６】
本発明においては、番組指定情報を、設定した識別情報（例えば、色又は画像）に基づいて表示させることで、使用者は、指定した番組がどの記録媒体に記録したか、又は記録されるかを把握することができる。【００１７】
本発明に係る記録装置は、前記表示制御手段が前記番組指定情報を表示させる際、同時に表示される電子番組表の、前記受付手段が受け付けた予約設定された番組指定情報で指定された番組の番組欄をも対応付けて表示させるようにしてあることを特徴とする。【００１８】
本発明においては、設定した識別情報（例えば、色又は画像）に対応付けて番組指定情報を表示させる際、予約設定された番組指定情報で指定された電子番組表の番組の番組欄も対応付けて表示させることで、使用者は、どの番組がどの記録媒体に記録されるかを把握することができる。【００１９】
本発明に係る記録装置は、記録媒体に記録されたタイトル情報を、前記設定手段が記録媒体を識別するために設定した識別情報に対応付けて表示させるタイトル表示制御手段を備えることを特徴とする。【００２０】
本発明においては、記録媒体に記録されたタイトル情報を、設定した識別情報（例えば、色又は画像）に対応付けて表示させることで、使用者は、記録媒体に記録された番組がどの記録媒体に記録したかを把握することができる。【００２１】
本発明に係る記録装置は、複数の記録媒体が装着可能であって、複数の記録媒体から一の記録媒体を選択する選択手段をさらに備え、前記複数の記録媒体及び前記複数の記憶領域の何れかを関連付けるようにしてあることを特徴とする。【００２２】
本発明においては、記録装置は、複数の記録媒体が装着可能であって、選択された一の記録媒体に対して、記憶領域の何れかを対応付ける。これにより、使用者は、装置を使用する都度、記録媒体を交換する作業を行う必要がなくなり、装置の操作性を向上させることができる。
【発明の効果】
【００２３】
本発明は、記録媒体毎に設定した識別情報をタイトルリスト又は予約リストと対応付けることで、選択しようとしているデータに対応している記録媒体を容易に認識することができる。これにより、タイトルリスト又は予約リストにて選択された記録媒体が装着されていない場合、どの記録媒体を使用すべきか容易に知ることが可能となる。
【図面の簡単な説明】
【００２４】
【図１】本発明の記録装置である録画装置の外観を示す概念図である。
【図２】本発明の記録装置である録画装置の内部構成を示すブロック図である。
【図３】記憶部の内部構成を示す模式図である。
【図４】光ディスクを登録する際に表示する登録画面の一例を示す模式図である。
【図５】記憶部の記憶領域を分割する処理の手順を示すフローチャートである。
【図６】光ディスクドライブに光ディスクが装着されてから録画装置が行う処理の手順を示すフローチャートである。
【図７】録画予約画面の一例を示す模式図である。
【図８】録画予約画面の別の例を示す模式図である。
【図９】録画装置が行う録画予約の処理の手順を示すフローチャートである。
【図１０】保存用メモリに記憶した予約情報の内容例を示す概念図である。
【図１１】録画装置が行う録画処理の手順を示すフローチャートである。
【図１２Ａ】番組データを記録した光ディスク又は番組データを記憶した記憶部の状態を示す概念図である。
【図１２Ｂ】番組データを記録した光ディスク又は番組データを記憶した記憶部の状態を示す概念図である。
【図１２Ｃ】番組データを記録した光ディスク又は番組データを記憶した記憶部の状態を示す概念図である。
【図１３Ａ】番組データを記録した光ディスク又は番組データを記憶した記憶部の状態を示す概念図である。
【図１３Ｂ】番組データを記録した光ディスク又は番組データを記憶した記憶部の状態を示す概念図である。
【図１３Ｃ】番組データを記録した光ディスク又は番組データを記憶した記憶部の状態を示す概念図である。
【図１４】録画装置が行う同期処理の手順を示すフローチャートである。
【図１５Ａ】光ディスクの記録内容を記憶部の記憶内容に同期させた結果を示す概念図である。
【図１５Ｂ】光ディスクの記録内容を記憶部の記憶内容に同期させた結果を示す概念図である。
【図１５Ｃ】光ディスクの記録内容を記憶部の記憶内容に同期させた結果を示す概念図である。
【図１６Ａ】光ディスクの記録内容を記憶部の記憶内容に同期させた結果を示す概念図である。
【図１６Ｂ】光ディスクの記録内容を記憶部の記憶内容に同期させた結果を示す概念図である。
【図１６Ｃ】光ディスクの記録内容を記憶部の記憶内容に同期させた結果を示す概念図である。
【図１７Ａ】ＦＳを用いた録画装置で番組データを記録した光ディスク及び番組データを記憶した記憶部１２の状態を示す概念図である。
【図１７Ｂ】ＦＳを用いた録画装置で番組データを記録した光ディスク及び番組データを記憶した記憶部１２の状態を示す概念図である。
【図１７Ｃ】ＦＳを用いた録画装置で番組データを記録した光ディスク及び番組データを記憶した記憶部１２の状態を示す概念図である。
【図１７Ｄ】ＦＳを用いた録画装置で番組データを記録した光ディスク及び番組データを記憶した記憶部１２の状態を示す概念図である。
【図１８】番組選択画面の一例を模式的に示す図である。
【図１９】一覧タブが選択された場合の番組選択画面の一例を模式的に示す図である。
【図２０】録画装置が行う番組再生の処理の手順を示すフローチャートである。
【図２１】チェンジャー装置を備えた録画装置の内部構成を示すブロック図である。
【図２２】本発明の記録装置である録画装置の内部構成の別の例を示すブロック図である。
【発明を実施するための形態】
【００２５】
以下本発明をその実施形態を示す図面に基づき具体的に説明する。
【００２６】
図１は、本発明の記録装置である録画装置１の外観を示す概念図である。録画装置１には、テレビジョン受像機である映像表示装置４が接続されており、録画装置１は、映像表示装置４に対して映像信号及び音声信号を出力し、映像表示装置４は、映像信号に基づいた映像を表示し、音声信号に基づいた音声を出力する。また録画装置１は、使用者によって操作されるリモコン（リモートコントローラ）５からの信号を受信することにより、録画予約の指示等の各種の指示を受け付ける。
【００２７】
録画装置１は、ブルーレイディスク（登録商標）又はＤＶＤ（Digital Versatile Disk）等の光ディスク（記録媒体）６が装着可能であって、装着された光ディスク６からのデータの読み出し、及び光ディスク６へのデータの記録を行う。録画装置１において光ディスク６を使用する場合、使用する光ディスク６を録画装置１に登録するようになっている。後に詳述するが、登録とは、光ディスク６を識別するための情報を録画装置１に入力することであって、登録内容は、例えばディスクの色、ディスクの名前、番号などである。録画装置１は、複数の光ディスク６が登録可能である。
【００２８】
図２は、本発明の記録装置である録画装置１の内部構成を示すブロック図である。録画装置１は、図示しない外部のアンテナ等に接続されてあり、デジタル放送の放送波を復調した放送信号が入力される放送入力部３１と、図示しない外部チューナ等の外部装置から映像信号及び音声信号が入力される信号入力部３２とを備えている。更に録画装置１は、リモコン５からの信号を受信するリモコン受信部（受付手段）３３と、映像表示装置４へ映像信号を出力する信号出力部（表示制御手段、タイトル表示制御手段）３４と、放送された番組の内容を表す番組データを記録するハイブリッドドライブ部１０と、放送波から映像信号及び番組データを生成する処理を行うバックエンド部２０とを備えている。
【００２９】
バックエンド部２０は、デジタルチューナ２１及びエンコーダ２２を備えており、デジタルチューナ２１には放送入力部３１が接続され、エンコーダ２２には信号入力部３２が接続されている。デジタルチューナ２１は、放送入力部３１からデジタル放送の放送信号が入力され、選局されたチャンネル即ち特定の周波数帯の放送信号をＭＰＥＧ（Moving Picture Experts Group）−２ＴＳ（Transport Stream）等のデジタルのストリームデータに変換する。エンコーダ２２は、信号入力部３２から映像信号及び音声信号を入力され、映像信号及び音声信号をＭＰＥＧ−２ＰＳ（Program Stream）又はＭＰＥＧ−２ＴＳ等のデジタルのストリームデータにエンコードする処理を行う。またバックエンド部２０は、ストリーム処理部２３を備えており、デジタルチューナ２１及びエンコーダ２２はストリーム処理部２３に接続されている。ストリーム処理部２３は、デジタルチューナ２１及びエンコーダ２２からストリームデータが入力され、デジタル放送用のスクランブルを解除する処理等のストリームデータに対するデータ処理を行う。
【００３０】
ストリーム処理部２３は、バックエンド部２０内のシステムバスに接続されている。またシステムバスには、演算を行う演算部を含んでなる録画／再生制御部２４、揮発性メモリである制御用メモリ２５、不揮発性メモリである保存用メモリ２７、及びストリームデータをデコードするデコーダ２８が接続されている。またデコーダ２８には、画像処理部２９が接続されている。録画／再生制御部２４は、システムバスに接続された各部分間でのデータの入出力を制御する処理を行う。また録画／再生制御部２４にはバックエンド部２０外のリモコン受信部３３が接続されており、録画／再生制御部２４は、リモコン受信部３３からの信号を入力されることにより、使用者からの各種の指示を受け付ける。なお、録画装置１は、更に、チューナ装置等の外部装置からストリームデータを受信するイーサネット（登録商標）等のデジタルインタフェースを備えていてもよい。このデジタルインタフェースは、ストリーム処理部２３に接続されている。
【００３１】
制御用メモリ２５は、ストリーム処理部２３又は録画／再生制御部２４等が実行する演算に伴う一時的な情報を記憶する。保存用メモリ２７は、録画／再生制御部２４の動作に必要な制御プログラム、及び録画予約の内容を記録した予約情報等の保存する必要がある情報を記憶する。デコーダ２８は、ストリームデータを映像信号及び音声信号へデコードし、映像信号及び音声信号を画像処理部２９へ入力する。画像処理部２９は、画素の補間又は色調整等の画像処理を映像信号に対して実行する。画像処理部２９にはバックエンド部２０外の信号出力部３４が接続されており、映像信号及び音声信号は信号出力部３４から映像表示装置４へ出力される。
【００３２】
更に、バックエンド部２０内のシステムバスには、ＳＡＴＡ（Serial Advanced Technology Attachment）等のインタフェース部２６が接続されており、インタフェース部２６には、バックエンド部２０外のハイブリッドドライブ部１０が接続されている。バックエンド部２０は、インタフェース部２６を介してハイブリッドドライブ部１０との間でデータを交換する。
【００３３】
ハイブリッドドライブ部１０は、バックエンド部２０に接続するＳＡＴＡ等のインタフェース部１４と、光ディスクドライブ１１と、データを記憶する記憶部１２と、光ディスクドライブ１１及び記憶部１２の動作を制御するドライブ制御部１３とを備える。ハイブリッドドライブ部１０は、インタフェース部１４を介してバックエンド部２０との間でデータを交換する。光ディスクドライブ１１は、ＤＶＤ等の光ディスク６を装着され、装着された光ディスク６からのデータの読み出し、及び光ディスク６へのデータの記録を行う。
【００３４】
記憶部１２は、フラッシュメモリ等の不揮発性メモリ又はハードディスクで構成されている。図３は、記憶部１２の内部構成を示す模式図である。記憶部１２は、記憶部１２の記憶内容を管理するための情報を記憶する管理領域、並びに番組データを記憶するための第１領域、第２領域…、第ｎ領域及び予備領域の複数の記憶領域を含んで構成されている。ここで、ｎは正の整数であり、録画装置１に登録する光ディスク６の枚数である。登録する光ディスク６の枚数は、使用者により決定される。記憶部１２は、決定されたｎの値に応じて記憶領域が分割される。なお、予め適当なｎの値を定め、録画装置１の出荷時点に、記憶部１２の記憶領域を管理領域、第１〜第ｎ領域及び予備領域の複数の記憶領域に予め分割するようにしてもよい。
【００３５】
記憶部１２の記憶領域の内、第１〜第ｎ領域は、個別に特定の光ディスクを対応付けておき、対応づけた光ディスクに応じたデータを記憶するための記憶領域である。例えば、第１領域には特定の光ディスク６１が対応付けられ、第２領域には特定の光ディスク６２が対応付けられる。録画装置１の出荷時点では、いずれの領域にも光ディスクは対応付けられていない。録画装置１を使用するには、使用者所有の光ディスクを何れかの記憶領域に対応付けて登録する処理を行う必要がある。また予備領域は、その他のデータを記憶するための記憶領域、又は登録する光ディスク６を増やす場合に用いられる記憶領域である。
【００３６】
記憶部１２の管理領域は、図３に示すように、管理領域を管理するための情報を記憶する管理領域管理部と、第１領域、第２領域…、第ｎ領域及び予備領域の夫々を管理するための情報を記憶する第１領域管理部、第２領域管理部…、第ｎ領域管理部及び予備領域管理部とを含んで構成されている。管理領域は、記憶部１２の記憶領域を分割した数を示すエントリ数と、管理領域中で第１〜第ｎ領域管理部及び予備領域管理部の夫々に割り当てられたエリアのアドレスを示す割り当てエリア情報とが記憶されている。
【００３７】
第１領域管理部には、第１領域の番号を示すエントリ番号、第１領域に実際に光ディスクが対応付けられているか否かを示す割り当てフラグ、及び対応付けられた光ディスクを識別するためのメディアＩＤ（媒体情報）が記憶される。また第１領域管理部には、記憶部１２の記憶領域中で第１領域に割り当てられたエリアのアドレスを示す割り当てエリア情報、光ディスクのコピーガードに利用するための情報であるメディアキー情報、第１領域に係るデータの分布状態を示すマップ情報、及び、録画装置１に登録する光ディスク６の色を示すディスク色情報が記憶される。
【００３８】
メディアＩＤ及びメディアキー情報は、光ディスクに予め記録されている情報であり、個々の光ディスクについて固有の情報である。録画装置１の出荷時点では、第１領域にはまだ光ディスク６１が対応付けられていないので、割り当てフラグは光ディスクが対応付けられていないことを示しており、特定の光ディスク６１に固有のメディアＩＤ及びメディアキー情報はまだ記憶されていない。マップ情報は、第１領域で記憶するデータ、及び第１領域に対応付けられた光ディスク６１で記録するデータが、第１領域及び光ディスク６１のどのアドレスに分布しているのかを示している。ディスク色情報は、第１領域に対応付けられた光ディスク６１に関する情報を映像表示装置４に表示する際に、どの色で表示するかを示している。なお、ディスク色情報は、光ディスク６１にも記憶されており、記憶部１２の内容が誤って消去された場合であっても、登録内容を保持できる。また光ディスク６１を別の録画装置で使用する場合に、同じ登録内容を用いることができる。第２〜第ｎ領域管理部の夫々にも、同様の情報が記憶される。
【００３９】
図４は、光ディスク６を登録する際に表示する登録画面の一例を示す模式図である。
【００４０】
登録画面は、光ディスク６が装着され、自動で又は例えばリモコン５から登録開始の操作を受け付けることで映像表示装置４に表示される。登録画面には、装着された光ディスク６に設定する登録番号及びディスク色（識別情報）が表示され、例えばリモコン５等により選択可能となっている。登録番号は、装着された光ディスク６それぞれに割り当てる１から８までの数値である。登録番号は、登録する光ディスク６に重複することなく割り当てられるようになっているため、光ディスク６に既に割り当てられた番号は登録画面には表示されない。前述の記憶部１２の第１〜第ｎ領域は、登録画面から登録された登録番号が対応付けられている。例えば、登録画面で登録番号「１」が設定された光ディスク６１は、第１領域に対応付けられ、登録番号「２」が設定された光ディスク６２は、第２領域に対応付けられる。
【００４１】
また、ディスク色は、赤、緑、黄、青等、光ディスク６に割り当てる色であり、例えば光ディスク６のラベルと同じ（近い）色又は使用者の好みの色等が使用者により選択される。選択されたディスク色は、前述のディスク色情報として記憶される。後に詳述するが、装着した光ディスク６に関する情報を映像表示装置４に表示する場合、登録画面で設定したディスク色で画面表示される。これにより、使用者は、録画装置１に装着された光ディスク６の種類を色により把握できるようになる。なお、録画装置１は、光ディスク６が装着されたときに、空いている登録番号及びディスク色が自動で設定されるようにしてもよい。また、登録画面において、登録する光ディスクの名称等が入力できるようにしてもよい。
【００４２】
次に、以上の構成でなる録画装置１が実行する処理を説明する。
【００４３】
録画装置１は、使用者が登録する光ディスクの枚数ｎの値を指定することにより、ｎの値に応じて記憶部１２の記憶領域を分割する処理を行う。図５は、記憶部１２の記憶領域を分割する処理の手順を示すフローチャートである。録画／再生制御部２４は、録画装置１に登録できる光ディスク６の枚数の指定を受け付けるための受付画面を映像表示装置４に表示させる。その後、録画／再生制御部２４は、使用者が所定の操作を行ったリモコン５からの信号をリモコン受信部３３が受信することによって、登録できる光ディスクの枚数の指定を受け付ける（Ｓ１１）。なお、図４に示す登録画面に表示される登録番号は、ステップＳ１１で受け付けた枚数に従って決定される。例えば登録できる光ディスクを８枚と指定された場合、登録画面で選択できる登録番号は、１から８までとなる。
【００４４】
録画／再生制御部２４は、記憶部１２の管理領域管理部に、指定された枚数の値を、エントリ数ｎとして記憶させることにより、エントリ数を設定する（Ｓ１２）。録画／再生制御部２４は、次に、記憶部１２の管理領域中に第１〜第ｎ領域管理部及び予備領域管理部を確保し、夫々に割り当てられたエリアのアドレスを示す割り当てエリア情報を管理領域管理部に記憶させることにより、第１領域管理部、第２領域管理部…、第ｎ領域管理部及び予備領域管理部を設定する（Ｓ１３）。録画／再生制御部２４は、次に、記憶部１２の管理領域以外の記憶領域を（ｎ＋１）分割し、第１〜第ｎ領域及び予備領域の夫々に割り当てられたエリアのアドレスを示す割り当てエリア情報を、第１〜第ｎ領域管理部及び予備領域管理部の夫々に記憶させることにより、第１〜第ｎ領域及び予備領域を設定する（Ｓ１４）。録画装置１は、以上で記憶部１２の記憶領域を分割する処理を終了する。
【００４５】
図６は、光ディスクドライブ１１に光ディスク６が装着されてから録画装置１が行う処理の手順を示すフローチャートである。
【００４６】
使用者の操作により光ディスクドライブ１１に光ディスクを装着した場合は、ドライブ制御部１３は、光ディスク６中の所定の位置に記録された情報を光ディスクドライブ１１に読み出させることにより、光ディスクのメディアＩＤを読み出し、インタフェース部１４からバックエンド部２０へ入力する。録画／再生制御部２４は、読み出したメディアＩＤが記憶部１２の第１〜第ｎ領域管理部のいずれかに記憶されているかを判定することにより、装着された光ディスク６が登録済みであるか否かを判定する（Ｓ２０１）。メディアＩＤが記憶部１２に記憶されておらず、光ディスクが未登録であった場合は（Ｓ２０１：ＮＯ）、録画／再生制御部２４は、光ディスクドライブ１１が光ディスク６から読み出したデータに基づき、光ディスク６がフォーマット済みであるか否かを判定する（Ｓ２０２）。ステップＳ２０２では、例えば、Volume descriptorに基づいて判定を行う。光ディスク６がフォーマット済みであった場合は（Ｓ２０２：ＹＥＳ）、録画／再生制御部２４は、光ディスクドライブ１１が光ディスク６から読み出したデータに基づき、光ディスク６が再生専用であるか否かを判定する（Ｓ２０３）。
【００４７】
光ディスク６が再生専用ではなかった場合は（Ｓ２０３：ＮＯ）、録画／再生制御部２４は、光ディスク６のフォーマット指示を受け付けたか否かを判定する（Ｓ２０４）。例えば、録画／再生制御部２４は、光ディスク６をフォーマットする指示を受け付けるための受付画面用の映像信号をデコーダ２８及び画像処理部２９を介して信号出力部３４から映像表示装置４へ送信することにより、映像表示装置４に、フォーマット指示を受け付けるための受付画面を表示させる。受付画面を確認した使用者は、フォーマットを行う際には、リモコン５を操作することによって、フォーマットの指示を入力する。
【００４８】
使用者からの所定の操作を受け付けたリモコン５が送信した所定の信号をリモコン受信部３３が受信することによって、光ディスク６のフォーマット指示を受け付けた場合（Ｓ２０４：ＹＥＳ）、又はステップＳ２０２で光ディスク６がフォーマット済みではなかった場合は（Ｓ２０２：ＮＯ）、録画／再生制御部２４は、ドライブ制御部１３及び光ディスクドライブ１１に、光ディスク６をフォーマットさせる（Ｓ２０５）。
【００４９】
光ディスク６のフォーマット指示の受け付けがない場合は（Ｓ２０４：ＮＯ）、録画／再生制御部２４は、光ディスク６の登録指示を受け付けたか否かを判定する（Ｓ２０６）。例えば、録画／再生制御部２４は、登録指示を受け付けるための受付画面を映像表示装置４に表示させ、光ディスク６の登録を行うか否かの指示をリモコン受信部３３で受け付ける。なお、フォーマットの指示を受け付けるための受付画面と、登録指示を受け付けるための受付画面とを一つに合わせた受付画面を映像表示装置４に表示させる処理を行ってもよい。
【００５０】
ステップＳ２０５が終了した場合、又はステップＳ２０６で光ディスクの登録指示を受け付けた場合は（Ｓ２０６：ＹＥＳ）、録画／再生制御部２４は、記憶部１２の管理領域に記憶された情報に基づき、記憶部１２の第１〜第ｎ領域の内で光ディスクが対応付けられていない記憶領域があるか否かを判定する（Ｓ２０７）。光ディスクが対応付けられていない記憶領域がない場合（Ｓ２０７：ＮＯ）、録画／再生制御部２４は、登録を解消して、光ディスクが対応付けられていない記憶領域を生成する指示を受け付けたか否かを判定する（Ｓ２０８）。例えば、録画／再生制御部２４は、光ディスクの新規登録ができないことを報知した上で、既に登録されている光ディスクの登録解消の指示を受け付けるための受付画面を映像表示装置４に表示させる。使用者は、リモコン５によりどの光ディスクの登録を解消するかを指示し、録画／再生制御部２４は、リモコン受信部３３で解消の指示を受け付ける。
【００５１】
登録解消の指示を受け付けた場合は（Ｓ２０８：ＹＥＳ）、録画／再生制御部２４は、ドライブ制御部１３に、記憶部１２の管理領域に記憶されている一の光ディスクに固有の情報を消去させることにより、一の光ディスクの登録を解消する処理を行う（Ｓ２０９）。例えば、記憶部１２の第１領域に対応付けられている光ディスク６１の登録を解消する場合は、記憶部１２の第１領域管理部に記憶されているメディアＩＤ及びメディアキー情報を消去することにより、登録を解消する処理を行う。またこのとき、第１領域管理部に記憶されている割り当てフラグは、光ディスクが対応付けられていないことを示すフラグに書き換えられる。
【００５２】
ステップＳ２０７で光ディスクが対応付けられていない記憶領域がある場合（Ｓ２０７：ＹＥＳ）、又はステップＳ２０９が終了した場合は、録画／再生制御部２４は、図４に示す登録画面を表示する（Ｓ２１０）。このとき、登録画面の登録番号は、光ディスクが対応付けられていない記憶領域の数に従って表示される。例えば、記憶部１２が第１から第８領域に分割されており、６つの領域には既に登録番号「１」〜「６」の光ディスクが対応付けられている場合、登録画面には、「７」及び「８」の登録番号が表示される。
【００５３】
登録画面の表示後、録画／再生制御部２４は、光ディスクドライブ１１に装着された光ディスク６を、光ディスクが対応付けられていない記憶領域の何れかに対応付けて登録する処理を行う（Ｓ２１１）。例えば、記憶部１２の第１領域に光ディスク６１を対応付ける場合は、光ディスクドライブ１１に装着されている光ディスク６１から読み出したメディアＩＤ及びメディアキー情報を記憶部１２の第１領域管理部に記憶させる。また登録画面において設定されたディスク色を光ディスク６１及び記憶部１２の第１領域管理部それぞれに記憶させる。さらに第１記憶管理部に記憶されている割り当てフラグを、光ディスクが対応付けられていることを示すフラグに書き換える。ステップＳ２０１で光ディスクが登録済みであった場合（Ｓ２０１：ＹＥＳ）、又はステップＳ２１１が終了した場合は、録画／再生制御部２４は、録画又は再生等の処理を実行するために、光ディスクドライブ１１に装着されている光ディスク６へのアクセスを開始する（Ｓ２１２）。
【００５４】
ステップＳ２０３で光ディスク６が再生専用であった場合（Ｓ２０３：ＹＥＳ）、ステップＳ２０６で光ディスク６の登録指示の受付がなかった場合（Ｓ２０６：ＮＯ）、又はステップＳ２０８で登録解消の指示の受付がなかった場合は（Ｓ２０８：ＮＯ）、録画／再生制御部２４は、光ディスクドライブ１１に装着されている光ディスク６に対して、未登録の光ディスクとしてアクセスを開始する（Ｓ２１３）。録画装置１は、以上で、光ディスク６が装着された際の処理を終了する。
【００５５】
録画装置１は、リモコン５等から操作されることで、録画予約の処理を行う。録画予約の処理を開始する場合、録画／再生制御部２４は、録画すべき番組の指定を受け付けるための録画予約画面を映像表示装置４に表示させる。図７は、録画予約画面の一例を示す模式図である。録画予約画面は、使用者が所定の操作を行ったリモコン５からの信号をリモコン受信部３３で受信することによって表示される。なお、録画予約画面を表示する場合は、登録された光ディスク６が光ディスクドライブ１１に装着されていてもよいし、装着されていなくてもよい。また、光ディスク６が装着されたときに録画予約画面を表示するようにしてもよい。
【００５６】
録画予約画面には、図４の登録画面で登録された光ディスク６の種類を表示するタブ７１が表示される。録画予約画面には、登録された光ディスクと同じ数のタブ７１が表示される。タブ７１には、登録された光ディスクを使用者が把握するための名称が表示される。この名称は、例えば登録画面で設定された登録番号であってもよいし、登録時に使用者により入力されたものであってもよい。図７では、３枚の光ディスクが登録済みであることを示しており、それぞれ「Ｄｉｓｃ１」、「Ｄｉｓｃ２」及び「Ｄｉｓｃ３」の名称としてある。
【００５７】
また各タブ７１は、表示する名称に対応する光ディスクに登録された色で表示される。例えば「Ｄｉｓｃ１」に対応する光ディスクが登録画面で「緑」のディスク色が設定されていた場合、「Ｄｉｓｃ１」を表示するタブ７１は、緑色で表示される。各タブ７１を対応する光ディスクに登録された色で表示することで、使用者は、登録された光ディスクの種類を瞬時に把握でき、どの光ディスクを使用すれば良いかが把握できる。
【００５８】
録画予約画面には、予約情報をリスト表示するリスト表示部７２が表示される。リスト表示部７２には、選択されたタブ７１に対応付けられた光ディスクの予約情報（番組指定情報）７３が表示される。予約情報７３は、録画すべき番組の日時、チャンネル、番組名及び録画モード等を含む情報であり、光ディスクに登録されたディスク色に対応付けて表示される。具体的には、リスト表示部７２は、光ディスク６に登録された色で表示される。そして、「Ｄｉｓｃ１」のタブ７１が選択された場合、リスト表示部７２は、「Ｄｉｓｃ１」に対応するタブ７１と同じ色で表示される。これにより、使用者は、どの光ディスクに何れの番組が録画されるのかが把握しやすくなる。なお予約情報７３自体を、登録されたディスク色で表示するようにしてもよい。例えば予約情報７３を示すブロック内を登録された色で表示してもよいし、文字を登録された色で表示してもよい。
【００５９】
また録画予約画面には、電子番組表７４が同時に表示される。電子番組表７４には、放送される番組を表す番組ブロック（番組欄）７４ａ、７４ｂが、チャンネル（以下、ＣＨと言う）毎に複数表示されている。各番組ブロック７４ａ、７４ｂは選択可能となっており、使用者はリモコン５を操作して、電子番組表７４上の番組ブロック７４ａ、７４ｂを選択することで、予約する番組を指定する。このとき、選択された番組ブロック７４ａ、７４ｂは、選択されたタブ７１に対応する光ディスクに登録された色で表示される。例えば、番組ブロック７４ａは、「Ｄｉｓｃ１」に対応するタブ７１と同じ色で表示される。また、番組ブロック７４ｂは、「Ｄｉｓｃ３」に対応するタブ７１と同じ色で表示される。このように電子番組表７４を視認することで、使用者は、どの番組がどの光ディスクに録画されるのかを把握しやすくなる。録画が予約された場合、録画を予約した番組を指定する予約情報が生成され、光ディスクのメディアＩＤと関連付けて、予約情報を保存用メモリ２７及び光ディスクそれぞれに記憶される。また、生成された予約情報は、リスト表示部７２に表示される。
【００６０】
なお、図７では、録画予約画面のリスト表示部７２等を光ディスクに登録された色で表示しているが、光ディスクの登録時に、アイコン画像（識別情報）を登録するようにしてもよい。図８は、録画予約画面の別の例を示す模式図である。例えば図４の登録画面で、使用者の顔に似せたアイコンを作成できるようにする、又は予め登録された画像を選択できるようにする。そして、図８に示すように、録画予約画面では、光ディスクに登録されたアイコン画像７５を、タブ７１及び電子番組表７４の番組ブロック７４ａ、７４ｂ等に重ねて表示する。アイコン画像７５を表示することで、色だけで光ディスクの種類を把握する場合との対比において、使用者は、光ディスクの種類をより把握し易くなる場合がある。なお、登録されたアイコン画像７５は、前述のディスク色と同様に記憶部１２及び光ディスク６のそれぞれに記憶される。
【００６１】
図７又は図８の録画予約画面を表示する場合、光ディスクドライブ１１に光ディスク６が装着されていれば、装着された光ディスク６に対応するタブ７１が選択された状態で、録画予約画面の表示を開始するようにしてもよい。この場合、使用者は装着した光ディスク６に関する情報の表示を望む可能性が高いため、使用者の手間を省くことができる。
【００６２】
図９は、録画装置１が行う録画予約の処理の手順を示すフローチャートである。録画／再生制御部２４は、光ディスクドライブ１１に装着されている光ディスク６の各情報を取得し（Ｓ３１）、図７に示す録画予約画面を映像表示装置４に表示させる（Ｓ３２）。取得する情報は、例えば光ディスク６のディスク色情報、及び既に生成されている予約情報等である。録画／再生制御部２４は、リモコン５からの信号をリモコン受信部３３で受信することによって、録画すべき番組の指定を受け付ける（Ｓ３３）。例えば、映像表示装置４は、電子番組表７４を表示し、使用者は電子番組表７４を確認しながらリモコン５を操作することによって、番組が電子番組表７４上で指定される。録画／再生制御部２４は、次に、受け付けた番組の指定に従って、録画予約画面の表示を更新する（Ｓ３４）。
【００６３】
録画／再生制御部２４は、録画を予約した番組を指定する予約情報を生成し、光ディスクドライブ１１に装着されている光ディスクのメディアＩＤと関連付けて、予約情報を保存用メモリ２７に記憶させる（Ｓ３５）。録画／再生制御部２４は、次に、ドライブ制御部１３及び光ディスクドライブ１１に装着されている光ディスク６に予約情報を記録させる（Ｓ３６）。録画装置１は、以上で録画予約の処理を終了する。
【００６４】
なお、図９のフローチャートでは、装着された光ディスク６の情報を取得して録画予約画面を表示し、予約情報等を光ディスク６に記録させるようにしているが、光ディスク６が装着されていなくてもよい。この場合、図７又は図８において、使用者が、記録先の光ディスクに対応するタブ７１を選択し、対応する記憶部１２の記憶領域に予約情報を記録させる。そして、対応する光ディスクが装着された際に、予約情報を光ディスク６に記録させるようにしてもよい。
【００６５】
図１０は、保存用メモリ２７に記憶した予約情報の内容例を示す概念図である。メディアＩＤと予約情報とは、互いに関連付けられて記憶されている。予約情報は、チャンネル、番組の放送日時を示す情報を含んでおり、これらの情報により録画すべき番組が指定される。即ち、予約情報は、番組データを記録すべき番組を指定する情報であり、本発明における番組指定情報に相当する。なお、予約情報は、メディアＩＤの代わりに、光ディスクが対応付けられた記憶部１２の記憶領域のエントリ番号に関連付けて記憶されてもよい。このようにして、保存用メモリ２７は、登録されている光ディスクに関連付けて予約情報を記憶する。
【００６６】
図１１は、録画装置１が行う録画処理の手順を示すフローチャートである。録画／再生制御部２４は、クロックに基づいて日時を計測し、保存用メモリ２７に記憶してある予約情報に含まれる情報が示す番組の放送日時になったか否かを随時判定する（Ｓ４１）。まだ番組の放送日時ではない場合は（Ｓ４１：ＮＯ）、録画／再生制御部２４は、日時の計測を続行する。予約情報に含まれる情報が示す番組の放送日時になった場合は（Ｓ４１：ＹＥＳ）、録画／再生制御部２４は、光ディスクドライブ１１に光ディスク６が装着されているか否かを判定する（Ｓ４２）。光ディスクドライブ１１に光ディスク６が装着されている場合は（Ｓ４２：ＹＥＳ）、録画／再生制御部２４は、光ディスクドライブ１１に装着されている光ディスク６が放送日時を示す情報を含む予約情報に関連付けられた光ディスクであるか否かを判定する（Ｓ４３）。ステップＳ４３では、録画／再生制御部２４は、光ディスク６からメディアＩＤを読み出し、予約情報に関連付けて保存用メモリ２７で記憶してあるメディアＩＤと、光ディスク６から読み出したメディアＩＤとが一致するか否かに応じて判定を行う。
【００６７】
ステップＳ４３で、メディアＩＤが一致してあり、光ディスク６が予約情報に関連付けられた光ディスクである場合は（Ｓ４３：ＹＥＳ）、録画／再生制御部２４は、放送が開始された番組の内容を表す番組データを光ディスクドライブ１１で光ディスク６に記録させる処理を行う（Ｓ４４）。ステップＳ４４では、デジタルチューナ２１は予約情報が示すチャンネルの放送信号をストリームデータへ変換し、ストリーム処理部２３はストリームデータに対するデータ処理を行い、録画／再生制御部２４は、ストリームデータをインタフェース部２６からハイブリッドドライブ部１０へ入力させる。ストリームデータは、デコードすることで番組を再生することが可能であり、番組の内容を表す番組データである。更にステップＳ４４では、録画／再生制御部２４は、ドライブ制御部１３に、番組データを光ディスクドライブ１１で光ディスクに記録させる処理を行う。例えば、放送日時になった番組を指定する予約情報が光ディスク６１に関連付けられてあり、光ディスク６１が光ディスクドライブ１１に装着されてある場合は、光ディスク６１に番組データが記録される。なお、録画／再生制御部２４は、光ディスクに番組データを記録させると共に、記憶部１２の記憶領域の内で、予約情報に関連付けられた光ディスクが対応付けられた記憶領域に番組データを記憶させる処理を行ってもよい。
【００６８】
番組の放送が終了し、番組データの記録が終了した場合、録画／再生制御部２４は、光ディスク６に記録した番組データが表す番組のタイトルを示すタイトル情報を光ディスク６に記録させる（Ｓ４６）。番組のタイトルには、電子番組表７４で表示されるタイトル等、デジタルチューナ２１が受信する放送信号に含まれる情報に基づいて決定したタイトルを用いてもよく、また使用者がリモコン５を操作することにより設定されたタイトルを用いてもよい。録画／再生制御部２４は、次に、光ディスク６に記録させたタイトル情報と同等のタイトル情報を、保存用メモリ２７に記憶する（Ｓ４７）。なお、録画／再生制御部２４は、記憶部１２の記憶領域の内で、予約情報に関連付けられた光ディスク６が対応付けられた記憶領域にタイトル情報を記憶させる処理を行ってもよい。
【００６９】
ステップＳ４２で光ディスクドライブ１１に光ディスク６が装着されていない場合（Ｓ４２：ＮＯ）、又はステップＳ４３でメディアＩＤが一致しておらず、光ディスク６が予約情報に関連付けられた光ディスクではない場合は（Ｓ４３：ＮＯ）、録画／再生制御部２４は、放送が開始された番組の内容を表す番組データを、記憶部１２の記憶領域の内で、予約情報に関連付けられた光ディスクに対応付けられた記憶領域に記憶させる（Ｓ４５）。例えば、放送日時になった番組を指定する予約情報が光ディスク６１に関連付けられてあり、光ディスクドライブ１１に光ディスク６１の光ディスクが装着されているかを判定し、光ディスクドライブ１１に光ディスク６１以外の光ディスクが装着されている場合には、記憶部１２の第１領域に番組データが記憶される。番組の放送が終了し、番組データの記録が終了した場合、録画／再生制御部２４は、記憶部１２に記憶させた番組データが表す番組のタイトルを示すタイトル情報を、保存用メモリ２７に記憶する（Ｓ４７）。
【００７０】
ステップＳ４７が終了した後は、録画／再生制御部２４は、光ディスク６に記録した番組データ又は記憶部１２に記憶した番組データの分布状態を示すマップ情報を、ステップＳ４７までの処理を反映するように更新する（Ｓ４８）。録画／再生制御部２４は、次に、録画が終了した番組の予約情報を光ディスク６及び保存用メモリ２７から消去する処理を行い（Ｓ４９）、録画処理を終了する。
【００７１】
図１２及び図１３は、番組データを記録した光ディスク又は番組データを記憶した記憶部１２の状態を示す概念図である。
【００７２】
図１２Ａは、ステップＳ４５によって記憶部１２の第１領域に番組１の番組データが記録された状態を示し、更に、光ディスク６１の記録内容及び第１領域の記録内容の少なくとも一方に含まれる番組データを記録する仮想的なディスク（仮想ディスク）の記録イメージを示す。第１領域に番組１の番組データが記憶されており、それに伴って仮想ディスクにも番組データが記録されている。図１２Ｂは、記憶部１２の第１領域管理部に記憶されたマップ情報の内容例を示す。番組データのデータ名に関連付けて、仮想ディスク及び第１領域におけるデータの分布が、先頭アドレス及びデータのサイズによって記録されている。更に、第１領域とディスク６１とでの番組データの同期状態を示す情報が記録されている。仮想ディスクと第１領域とでは、番組データの先頭アドレスが異なるものの、同サイズの番組データが記録されていることが示されている。また番組データは光ディスク６１には記録されていないので、同期状態は未同期となっている。なお、本実施例では、メモリのアドレス及びデータのサイズを十進法の数値で示している。図１２Ｃは、タイトル情報の内容例を示す。番組データが表す番組のタイトルに関連付けて、番組が継続する時間の長さ、画質、ダビング可能回数、及び同期状態を示す情報が記録されている。なお、番組データのデータ名とタイトル名とは、図１２に示したように同一でもよいが、互いに異なっていてもよい。
【００７３】
図１３は、ステップＳ４４によって光ディスク６１に番組１の番組データが記録された状態を示す。図１３Ａに示すように、光ディスク６１に番組１の番組データが記録され、それに伴って仮想ディスクにも番組データが記録される。図１３Ｂに示すように、マップ情報では、仮想ディスクに番組データが記録されている一方で、第１領域には番組データが記憶されていないことが記録されている。また図１３Ｃに示すように、タイトル情報では、光ディスク６１に記録された番組データに関しては、ダビング可能回数が記録されない。
【００７４】
録画装置１は、ステップＳ２１２で登録済みの光ディスク６にアクセスを開始した後、光ディスク６の記録内容を記憶部１２の対応する記憶領域での記憶内容に同期させる処理を行う。図１４は、録画装置１が行う同期処理の手順を示すフローチャートである。ステップＳ２１２で光ディスク６にアクセスを開始した後、録画／再生制御部２４は、光ディスク６の記録内容と、記憶部１２の記憶領域の内で光ディスク６が対応付けられている記憶領域での記憶内容とを比較し、光ディスク６に未記録の番組データが該当する記憶領域に記憶されているか否かを判定する（Ｓ５１）。ステップＳ５１では、例えば、光ディスク６１に未記録の番組データが記憶部１２の第１記憶領域に記憶されているか否かを判定する。未記録の番組データが記憶されている場合は（Ｓ５１：ＹＥＳ）、録画／再生制御部２４は、記憶部１２から光ディスク６へ未記録の番組データをコピーする（Ｓ５２）。ステップＳ５２では、録画／再生制御部２４は、ドライブ制御部１３に、記憶部１２から未記録の番組データを読み出させ、読み出した番組データを光ディスクドライブ１１で光ディスク６に記録させる。
【００７５】
録画／再生制御部２４は、次に、番組データを光ディスク６が記録した状態を反映させるように、保存用メモリ２７に記憶したタイトル情報を更新し（Ｓ５３）、記憶部１２の管理領域で記憶するマップ情報を更新する（Ｓ５４）。ステップＳ５４では、例えば、光ディスク６１が番組データを記録した状態を反映するように、記憶部１２の第１領域管理部で記憶したマップ情報を更新する。
【００７６】
録画／再生制御部２４は、次に、光ディスク６に記録した番組データに係る予約情報、即ち、その番組データが表す番組を録画するために生成した予約情報が光ディスクに記録されているか否かを判定する（Ｓ５５）。光ディスク６に記録した番組データに係る予約情報が光ディスクに記録されている場合は（Ｓ５５：ＹＥＳ）、録画／再生制御部２４は、ドライブ制御部１３に、光ディスクドライブ１１で光ディスク６から該当する予約情報を消去させる（Ｓ５６）。
【００７７】
ステップＳ５１で光ディスク６に未記録の番組データが記憶されていない場合（Ｓ５１：ＮＯ）、ステップＳ５５で光ディスク６に記録した番組データに係る予約情報が光ディスクに記録されていない場合（Ｓ５５：ＮＯ）、又はステップＳ５６が終了した後は、録画／再生制御部２４は、保存用メモリ２７で未記憶の予約情報が光ディスク６に記録されているか否かを判定する（Ｓ５７）。保存用メモリ２７で未記憶の予約情報が光ディスク６に記録されている場合は（Ｓ５７：ＹＥＳ）、録画／再生制御部２４は、未記憶の予約情報を光ディスク６から保存用メモリ２７へコピーする（Ｓ５８）。ステップＳ５８では、録画／再生制御部２４は、ドライブ制御部１３に、光ディスクドライブ１１で光ディスク６から未記憶の予約情報を読み出させ、インタフェース部１４を介してバックエンド部２０へ予約情報を入力させ、入力された予約情報を保存用メモリ２７に記憶する。ステップＳ５７で未記憶の予約情報が光ディスク６に記録されていない場合（Ｓ５７：ＮＯ）、又はステップＳ５８が終了した後は、録画／再生制御部２４は、同期の処理を終了する。
【００７８】
図１５及び図１６は、光ディスクの記録内容を記憶部１２の記憶内容に同期させた結果を示す概念図である。
【００７９】
図１５は、図１２に示す状態で、番組データを記録していない光ディスク６１が光ディスクドライブ１１に装着された場合の同期結果を示す。図１５Ａに示すように、光ディスク６１には、第１領域に記憶されている番組データと同一の番組データが記録される。仮想ディスクのデータ分布は、光ディスクでのデータ分布を反映したデータ分布となっている。また図１５Ｂに示すように、マップ情報では、番組１の番組データが仮想ディスク及び第１領域の両方に記憶され、番組１の番組データに関して光ディスク６１の記録内容と第１領域の記憶内容とが同期していることが記録されている。また図１５Ｂに示すように、マップ情報では、同じ番組を表す番組データの、仮想ディスク上での所在即ち光ディスク上での所在と記憶部１２での所在とが関連付けられてある。従って、マップ情報を参照することによって、光ディスク及び記憶部１２の両方で、同じ番組を表す番組データにアクセスすることができる。また図１５Ｃに示すように、タイトル情報でも、番組１の番組データに関して光ディスク６１と第１領域とで同期していることが記録されている。
【００８０】
図１６は、図１２に示す状態で、記憶部１２の第１領域に記憶されている番組データとは別の番組データが記録された光ディスク６１が光ディスクドライブ１１に装着された場合の同期結果を示す。記憶部１２の第１領域で番組１の番組データを記憶している状態で、番組１の番組データを記録しておらず番組２の番組データを記録している光ディスク６１が光ディスクドライブ１１に装着された場合、光ディスク６１には、番組１の番組データが追加記録される。図１６Ａに示すように、光ディスク６１には、既に記録してある番組２の番組データに加えて、番組１の番組データが記録される。第１領域には、番組１の番組データが記憶されたままであり、仮想ディスクには番組１及び番組２の番組データが記録された状態となる。図１６Ｂに示すように、マップ情報では、番組１の番組データが仮想ディスク及び第１領域の両方に記憶され、番組１の番組データに関して光ディスク６１と第１領域とが同期しており、番組２の番組データは第１領域には記憶されていないことが記録されている。また図１６Ｃに示すように、タイトル情報でも、番組１に関して光ディスク６１と第１領域とで同期しており、番組２に関しては同期できないことが記録されている。
【００８１】
なお、図１２、図１３、図１５及び図１６では、番組データは連続して光ディスク６１に記録されるとしたが、録画装置１は、番組データを断片化して光ディスクに記録することができる形態であってもよい。この形態の録画装置１では、ＦＳ（ファイルシステム）を用いて、番組データのファイル名に、番組データの各部分が記録されているアドレスを関連付けることによって、番組データを管理する。
【００８２】
図１７は、ＦＳを用いた録画装置１で番組データを記録した光ディスク及び番組データを記憶した記憶部１２の状態を示す概念図であり、第１領域に記憶した番組１の番組データを光ディスク６１に記録した状態を示す。
【００８３】
図１７Ａは、仮想ディスク、光ディスク６１及び第１領域の記録内容の記録イメージを示す。第１領域には番組１の番組データが記憶されており、光ディスク６１では、番組データは領域１及び領域２の二つの部分に分割して記録されている。また光ディスク６１には、ＦＳにより各ファイルを管理するために必要なＦＳデータが記録されている。
【００８４】
録画／再生制御部２４がファイルにアクセスするためには、ＦＳデータが必要である。保存用メモリ２７は、各光ディスクが記録してあるＦＳデータと同等のＦＳデータを、メディアＩＤに関連付けて記憶している。録画／再生制御部２４は、同期の処理を行う際に、光ディスクで記録するＦＳデータと保存用メモリ２７で記憶するＦＳデータとを同期させる処理を行う。
【００８５】
図１７Ｂは、記憶部１２の第１領域管理部に記憶されたマップ情報の内容例を示す。仮想ディスク及び第１領域における領域１及び領域２のデータ分布が、先頭アドレス及びデータのサイズによって記録されている。仮想ディスク上では領域１及び領域２が分割して記録され、第１領域とでは、領域１及び領域２が連続して記憶されていることが示されている。
【００８６】
図１７Ｃは、タイトル情報の内容例を示し、図１５Ｃ等と同様の内容となっている。図１７Ｄは、ＦＳデータの一部の内容例を示し、番組１の番組データに関する部分を示す。番組１のデータ名に関連付けて、番組１の番組データを構成する領域１及び領域２の仮想ディスク及び光ディスクにおける所在を示す先頭アドレス及びサイズからなる配置情報が記録されている。配置情報を参照することにより、光ディスクに記録された番組データにアクセスすることが可能となる。
【００８７】
また、配置情報の内容は仮想ディスクマップと同等であり、配置情報に含まれる仮想ディスクマップにマップデータで関連付けられた記憶部１２の記憶領域でのマップを参照することにより、記憶部１２に記憶された番組データにアクセスすることが可能となる。
【００８８】
なお、以上の説明では、説明を簡単にするためにアドレス及びデータサイズを十進法の数値で示したが、実際には１６進法の数値等、十進法以外の数値でアドレス及びデータサイズが管理されることも多い。
【００８９】
録画装置１は、同期処理を終了した後、光ディスク６に記録されている番組データに基づいて番組を再生することができる。使用者がリモコン５に対して所定の操作を行うことにより、リモコン受信部３３は番組再生処理の開始指示を受け付け、録画／再生制御部２４は、光ディスク６に記録されている番組データが表す番組の中から再生すべき番組を選択するための番組選択画面を映像表示装置４に表示させる。図１８は、番組選択画面の一例を模式的に示す図である。
【００９０】
番組選択画面には、図７に示す録画予約画面のタブ７１と同様に、登録された光ディスク６と同じ数のタブ８１が表示される。各タブ８１は、光ディスクを使用者が把握するための名称を表示し、選択可能となっている。また番組選択画面には、再生可能な番組を示すタイトル情報８３を表示するリスト表示部８２が表示される。タイトル情報８３は、光ディスクに記録され、録画した番組のタイトル、放送チャンネル、録画時間及び録画モード等を含む番組データに基づいて表示される。リスト表示部８２には、選択されたタブ８１に対応する光ディスク６に記録された番組データが表すタイトル情報８３が表示される。このとき、リスト表示部８２には、選択されたタブ８１に対応する光ディスク６に記録された番組データに基づくタイトル情報８３が表示され、さらに、リスト表示部８２は、選択されたタブ８１に対応する光ディスクに登録された色で表示される。例えば、「Ｄｉｓｃ１」のタブ８１が選択された場合、リスト表示部８２は、「Ｄｉｓｃ１」のタブ８１と同じ色で表示される。これにより、使用者は、どの光ディスクが選択され、その光ディスクにはどの番組が録画されているかが把握しやすくなる。また録画選択画面には、映像表示部８４が表示される。映像表示部８４は、現在放送中の番組、又は光ディスクに記憶された番組データの番組を表示する。なおタイトル情報８３自体を、登録されたディスク色で表示するようにしてもよい。例えばタイトル情報８３を示すブロック内を登録された色で表示してもよいし、文字を登録された色で表示してもよい。
【００９１】
さらに録画選択画面には、「一覧」の文字を表示する一覧タブ８５が表示される。図１９は、一覧タブ８５が選択された場合の番組選択画面の一例を模式的に示す図である。一覧タブ８５が選択された場合、リスト表示部８２には、装着されていないディスクも含めて登録された全ての光ディスクに記憶された番組データに基づくタイトル情報８３が表示される。このとき、各タイトル情報８３は、番組データが記憶された光ディスクに登録された色で表示される。例えば、「Ｄｉｓｃ１」に対応する光ディスクに記憶された番組データに基づくタイトル情報８３は、「Ｄｉｓｃ１」に対応するタブ８１と同じ色で表示される。これにより、使用者は、どの番組がどの光ディスクに記録されているかが把握し易くなる。
【００９２】
図２０は、録画装置１が行う番組再生の処理の手順を示すフローチャートである。録画／再生制御部２４は、図１８に示す番組選択画面を映像表示装置４に表示させる（Ｓ６１）。ステップＳ６１では、録画／再生制御部２４は、保存用メモリ２７で記憶しているタイトル情報から、光ディスクドライブ１１に装着された光ディスク６に記録されている番組データが表す番組のタイトルを抽出し、抽出したタイトル含む番組選択画面を表示するために必要な映像信号を信号出力部３４から映像表示装置４へ出力させる。番組選択画面では、登録された光ディスクに記録されている番組データが表す番組、即ち再生可能な番組の一覧が表示される。なお、録画／再生制御部２４は、図１４のフローチャートで示した同期処理が終了した後、直ぐにステップＳ６１の処理を実行してもよい。
【００９３】
番組選択画面を確認した使用者がリモコン５を操作し、リモコン５からの信号をリモコン受信部３３で受信することにより、録画／再生制御部２４は、使用者から、再生すべき番組の選択を受け付ける。ステップＳ６１の後、録画／再生制御部２４は、再生すべき番組の選択を受け付けることによる、番組再生の指示の受付を待ち受ける（Ｓ６２）。番組再生の指示の受付がない場合は（Ｓ６２：ＮＯ）、録画／再生制御部２４は、番組再生の指示の受付の待ち受けを続行する。番組再生の指示を受け付けた場合は（Ｓ６２：ＹＥＳ）、録画／再生制御部２４は、光ディスク６に対応付けられた記憶部１２の記憶領域に、再生すべき番組を表す番組データが記憶されているか否かを判定する（Ｓ６３）。例えば、光ディスク６１に記録された番組データが表す番組１を再生すべき場合に、第１領域に番組１の番組データが記憶されているか否かを判定する。ステップＳ６１では、録画／再生制御部２４は、タイトル情報を参照し、再生すべき番組のタイトル名に関連付けられた同期状態の情報が同期を示している場合に記憶部１２に番組データが記憶されていると判定し、同期を示していない場合に番組データが記憶されていないと判定すればよい。なお、録画／再生制御部２４は、記憶部１２の管理領域に記憶されたマップ情報を参照することによって、記憶部１２に番組データが記憶されているか否かを判定する処理を行ってもよい。
【００９４】
光ディスクに対応付けられた記憶部１２の記憶領域に、再生すべき番組を表す番組データが記憶されている場合は（Ｓ６３：ＹＥＳ）、録画／再生制御部２４は、記憶部１２に記憶されている番組データに基づいて番組を再生する処理を行う（Ｓ６４）。ステップＳ６４では、録画／再生制御部２４は、記憶部１２の管理領域に記憶されたマップ情報を参照することにより、番組データが記憶されているアドレスを特定し、ドライブ制御部１３に、再生すべき番組を表す番組データを記憶部１２から読み出させ、インタフェース部１４を介してバックエンド部２０へ番組データを入力させる。更に録画／再生制御部２４は、デコーダ２８に、入力された番組データを映像信号及び音声信号へデコードさせ、画像処理部２９に画像処理を行わせ、信号出力部３４から映像表示装置４へ映像信号及び音声信号を出力させる。映像表示装置４は、録画装置１からの映像信号及び音声信号に基づいて映像の表示及び音声の出力を行うことにより、番組を再生する。
【００９５】
記憶部１２の光ディスクに対応付けられた記憶領域に、再生すべき番組を表す番組データが記憶されていない場合は（Ｓ６３：ＮＯ）、録画／再生制御部２４は、光ディスクドライブ１１に装着されている光ディスク６に記録された番組データに基づいて番組を再生する処理を行う（Ｓ６５）。ステップＳ６５では、録画／再生制御部２４は、ドライブ制御部１３に、再生すべき番組を表す番組データを光ディスクドライブ１１で光ディスク６から読み出させ、インタフェース部１４を介してバックエンド部２０へ番組データを入力させる。更に録画／再生制御部２４は、デコーダ２８に番組データをデコードさせ、画像処理部２９に画像処理を行わせ、信号出力部３４から映像信号及び音声信号を出力させる。映像表示装置４は、録画装置１からの映像信号及び音声信号に基づいて番組を再生する。
【００９６】
なお、番組選択画面は、光ディスクが装着されていなくても表示されるため、Ｓ６２において番組再生の指示を受け付けた場合、光ディスクが装着されていないときは、使用者に光ディスクの装着を促す画面を表示するようにしてもよい。
【００９７】
以上詳述した如く、本発明の記録装置である録画装置１は、光ディスクを識別し易くするために、表示色又はアイコン画像の識別情報で設定し、設定された表示色又はアイコン画像の識別情報で録画予約画面などを映像表示装置４に出力する。これにより、複数の使用者は、自身が所有する光ディスクと他人の光ディスクとを区別することができる。そして、録画装置１に装着する光ディスクの種類を把握でき、また光ディスクが録画装置１に装着された後であっても、光ディスクを装置から取り出すことなく光ディスクの種類等を把握できるようになる。
【００９８】
また、録画装置１は、本発明の記録装置である録画装置１は、光ディスクドライブ１１とは別に、複数の記憶領域を有する記憶部１２を設けてあり、特定の記憶領域に関連付けて光ディスクのメディアＩＤを記憶することにより、光ディスクを登録してある。録画装置１は、録画のための予約情報を光ディスクに関連付けて記憶し、録画すべき番組が放送された場合に予約情報が関連付けられた光ディスクが装着されているときは、光ディスク６に番組データを記録し、録画すべき番組が放送された場合に予約情報が関連付けられた光ディスクが装着されていないときは、当該光ディスクを対応付けられた記憶領域に番組データを記憶させる。
【００９９】
また録画装置１は、光ディスクに記録する番組データと光ディスクに対応する記憶領域に記憶する番組データとを示す情報をまとめて管理しており、光ディスクが装着された場合に、当該光ディスクを対応付けられた記憶領域に記憶された番組データを光ディスクに記録させ、また、番組の再生時には、記憶領域に記憶されている番組データに基づいて番組を再生する。このように、録画装置１は、記憶部１２の各記憶領域を、光ディスクに対する番組データの読み出し及び書き込みを補助するキャッシュ領域として利用する。
【０１００】
また録画装置１は、光ディスク６が装着された場合に、当該光ディスク６が対応付けられた記憶領域に記憶された番組データを光ディスク６に記録させる。これにより、録画装置１では、一旦光ディスク６を登録し、光ディスク６に関連付けて予約情報を記憶しておけば、番組の放送開始時に光ディスク６が装着されておらずとも、番組データは記憶部１２に記憶され、後日光ディスク６が装着されたときに番組データが光ディスク６に記録される。従って、番組の放送開始時になっても使用者が録画装置１に光ディスクを装着し忘れていた場合であっても、確実に番組を録画することができる。また番組データを記録させるべき特定の光ディスクとは別の光ディスクを使用者が誤って録画装置１に装着した場合であっても、誤って装着された光ディスクに番組データが記録されることがなく、後日正しい光ディスクに番組データが記録される。このように、本発明においては、大容量のハードディスク及び複数のチューナを必要とせずに、低コストで確実な番組データの記録を可能にする。
【０１０１】
また記憶部１２に番組データを記憶させることにより、録画装置１は、記憶部１２に記憶してある番組データに基づいて番組を再生することができる。不揮発性メモリ又はハードディスクで構成された記憶部１２は、光ディスクよりもデータの読み出しが早いので、光ディスクに記録された番組データに基づいて番組を再生する場合に比べて、スムーズな番組の再生が可能であり、使用者に与えるストレスを抑制することができる。特に、番組の放送時に光ディスクへの番組データの記録と共に記憶部１２へも番組データを記憶する録画装置の場合は、再生しようとする番組の番組データが記憶部１２に記憶されている可能性が高く、番組のスムーズな再生を高頻度で行うことが可能となる。
【０１０２】
以上、本発明の好適な一実施形態について、具体的に説明したが、各構成及び動作等は適宜変更可能であって、上述の実施形態に限定されることはない。
【０１０３】
上述の実施形態では、録画装置１は、一の光ディスクのみが装着できる構成としてあるが、複数の光ディスクが装着できるチェンジャー装置を備えるようにしてもよい。図２１は、チェンジャー装置を備えた録画装置の内部構成を示すブロック図である。ディスク装着部１５は、複数の光ディスク６を保持でき、リモコン（選択手段）５等により選択された一の光ディスク６を光ディスクドライブ１１に装着するチェンジャー装置である。これにより、使用者は、光ディスクを入れ替える手間を省くことができる。
【０１０４】
また、チェンジャー装置が外付けにより録画装置１に装着できる構成としてもよい。図２２は、本発明の記録装置である録画装置１の内部構成の別の例を示すブロック図である。図２２に示す録画装置１は、複数の光ディスクの中から一の光ディスクを選択するチェンジャー装置１６が録画装置１のインタフェース部２６に接続可能となっている。
【０１０５】
チェンジャー装置１６は、インタフェース部２６に接続するインタフェース部１６１、複数の光ディスクの中から選択された光ディスクからのデータの読み出し、及び光ディスク６へのデータの記録を行う光ディスクドライブ１６２、及び光ディスクドライブ１６２の動作を制御するドライブ制御部１６３を備えている。そして、チェンジャー装置１６は、ハイブリッドドライブ部１０が有する記憶部１２を利用して、上述の実施形態と同様の動作を行う。このように、チェンジャー装置の機能を備えない録画装置１であってもチェンジャー装置１６を増設することで、上述の実施形態と同様の作用効果を得ることが可能となる。
【０１０６】
また、インタフェース部２６に印刷装置（図示せず）が接続可能とし、登録したディスク色又はアイコン画像を印字できる構成としてもよい。この場合、ディスク色又はアイコン画像を印字した紙などを光ディスク６又は光ディスク６のケース等に貼っておくことで、使用者は光ディスク６を管理し易くなる場合がある。また、記憶部１２を着脱可能な構成としてもよい。この場合、簡単に録画装置１の記憶容量を変更できるようになる。
【０１０７】
本実施形態においては、光ディスクに固有の情報として光ディスクに予め記録されているメディアＩＤを使用する形態を示したが、これに限るものではなく、本発明では、光ディスク毎に異なる情報を光ディスクに書き込み、書き込んだ情報をメディアＩＤとして利用してもよい。また本実施形態においては、デジタルチューナ２１で放送信号を受信する形態を示したが、本発明はアナログ放送の放送信号を受信するアナログチューナを備えた形態であってもよい。アナログチューナを備えた形態では、アナログチューナはエンコーダ２２に接続される。
【０１０８】
さらに本実施形態においては、本発明における着脱可能な記録媒体として光ディスクを用いる形態を示したが、これに限るものではなく、本発明は、着脱可能な記録媒体として、可搬型のハードディスク又はメモリカード等、その他の記録媒体を用いる形態であってもよい。また本実施形態においては、本発明の記録装置は録画装置１であるとしたが、これに限るものではなく、本発明の記録装置は、映像表示装置４と録画装置１とが一体となった形態であってもよい。また本実施形態においては、本発明の記録装置としてテレビジョン放送により放送された番組の番組データを記録する形態を示したが、これに限るものではなく、本発明の記録装置は、音声放送又はデータ放送等、テレビジョン放送以外の放送で放送される番組の番組データ、その他のコンテンツデータ等を記録する形態であってもよい。
【符号の説明】
【０１０９】
１  録画装置
４  映像表示装置
６  光ディスク
１０  ハイブリッドドライブ部
１１  光ディスクドライブ
１２  記憶部
１３  ドライブ制御部
１５  ディスク装着部
２０  バックエンド部
【図１】
2010125875.tif 000003
【図２】
2010125875.tif 000004
【図３】
2010125875.tif 000005
【図４】
2010125875.tif 000006
【図５】
2010125875.tif 000007
【図６】
2010125875.tif 000008
【図７】
2010125875.tif 000009
【図８】
2010125875.tif 000010
【図９】
2010125875.tif 000011
【図１０】
2010125875.tif 000012
【図１１】
2010125875.tif 000013
【図１２Ａ】
2010125875.tif 000014
【図１２Ｂ】
2010125875.tif 000015
【図１２Ｃ】
2010125875.tif 000016
【図１３Ａ】
2010125875.tif 000017
【図１３Ｂ】
2010125875.tif 000018
【図１３Ｃ】
2010125875.tif 000019
【図１４】
2010125875.tif 000020
【図１５Ａ】
2010125875.tif 000021
【図１５Ｂ】
2010125875.tif 000022
【図１５Ｃ】
2010125875.tif 000023
【図１６Ａ】
2010125875.tif 000024
【図１６Ｂ】
2010125875.tif 000025
【図１６Ｃ】
2010125875.tif 000026
【図１７Ａ】
2010125875.tif 000027
【図１７Ｂ】
2010125875.tif 000028
【図１７Ｃ】
2010125875.tif 000029
【図１７Ｄ】
2010125875.tif 000030
【図１８】
2010125875.tif 000031
【図１９】
2010125875.tif 000032
【図２０】
2010125875.tif 000033
【図２１】
2010125875.tif 000034
【図２２】
2010125875.tif 000035
【国際調査報告】
2010125875.tif 000036
2010125875.tif 000037
2010125875.tif 000038
2010125875.tif 000039